(57)【特許請求の範囲】
【請求項１】
マス内に設置する逆流防止弁であって、
前記マスに排水を流入させる流入管接続口に挿入する上流側環状部と、
前記マスから前記排水を排出させる排出管接続口に挿入する下流側環状部と、
前記上流側環状部と前記下流側環状部を接続するインバート部と、
前記上流側環状部の流出側の端部に設けられ前記上流側環状部の流出側に形成される開口を開閉自在とする上流側弁体または前記下流側環状部の流出側の端部に設けられ前記下流側環状部の流出側に形成される開口を開閉自在とする下流側弁体と、
を有し、
前記下流側環状部の外周面と前記排出管接続口の内周面とが係止することにより保持され、
前記上流側弁体及び前記下流側弁体は、流出側の面に凹部を備えることを特徴とする逆流防止弁。
【請求項２】
マス内に設置する逆流防止弁であって、
前記マスに排水を流入させる流入管接続口に挿入する上流側環状部と、
前記マスから前記排水を排出させる排出管接続口に挿入する下流側環状部と、
前記上流側環状部と前記下流側環状部を接続するインバート部と、
前記上流側環状部の流出側の端部に設けられ前記上流側環状部の流出側に形成される開口を開閉自在とする上流側弁体または前記下流側環状部の流出側の端部に設けられ前記下流側環状部の流出側に形成される開口を開閉自在とする下流側弁体と、
を有し、
前記下流側環状部の外周面と前記排出管接続口の内周面とが係止することにより保持され、
前記上流側環状部及び前記下流側環状部の少なくとも一方の底面にスリットが形成されていること特徴とする逆流防止弁。
【請求項３】
マス内に設置する逆流防止弁であって、
前記マスに排水を流入させる流入管接続口に挿入する上流側環状部と、
前記マスから前記排水を排出させる排出管接続口に挿入する下流側環状部と、
前記上流側環状部と前記下流側環状部を接続するインバート部と、
前記上流側環状部の流出側の端部に設けられ前記上流側環状部の流出側に形成される開口を開閉自在とする上流側弁体または前記下流側環状部の流出側の端部に設けられ前記下流側環状部の流出側に形成される開口を開閉自在とする下流側弁体と、
を有し、
前記下流側環状部の外周面と前記排出管接続口の内周面とが係止することにより保持され、
前記インバート部は、前記逆流防止弁を前記上流側環状部側と前記下流側環状部側とに分割する分割部を有することを特徴とする逆流防止弁。
【請求項４】
前記上流側弁体は前記上流側環状部の流出側に形成される開口を塞いだ時に、前記上流側環状部の中心と前記下流側環状部の中心とを結ぶ線と成す角度θが３０°〜６０°となるように設置され、前記下流側弁体は前記下流側環状部の流出側に形成される開口を塞いだ時に、前記上流側環状部の中心と前記下流側環状部の中心とを結ぶ線と成す角度θが３０°〜６０°となるように設置されることを特徴とする請求項１〜３の何れか一項に記載の逆流防止弁。
【請求項５】
前記上流側弁体は、前記流出側の面に第１把持部を備えること特徴とする請求項１〜４の何れか一項に記載の逆流防止弁。
【請求項６】
前記上流側環状部及び前記下流側環状部の上部に第２把持部を備えること特徴とする請求項１〜５の何れか一項に記載の逆流防止弁。
【請求項７】
前記上流側環状部の外周面には止水部が形成されていることを特徴とする請求項１〜６の何れか一項に記載の逆流防止弁。
【発明の詳細な説明】
【技術分野】
【０００１】
本発明は、マスに設置する逆流防止弁に関するものである。
【背景技術】
【０００２】
従来、集中豪雨や台風などの大雨時に下水本管からマスを介して宅内に汚水が逆流するのを防止するためや、下水本管からマスを介して悪臭が宅内に進入するのを防止するために既設のマスに逆流防止弁を設置することが行われている。特許文献１には、取付けマスの内部から取付けマスと下水本管とを接続する取付け管の入り口に挿入され、鍔により取付け管の入り口端面に係止される逆止弁が開示されている。また特許文献２には、立ち上がり管部を有するマスに用いられ、排水が流入口へ逆流するのを防止する逆流防止弁が開示されている。この逆流防止弁においては、立ち上がり管部の内面に沿う円筒状に形成された連結部が設けられており、この連結部によりマス内の所定の位置に逆流防止弁が固定されている。
【先行技術文献】
【特許文献】
【０００３】
【特許文献１】実開昭６３−１４１２７４号公報
【特許文献２】特許５０６８７０８号公報
【発明の概要】
【発明が解決しようとする課題】
【０００４】
ところで特許文献１に開示されている逆止弁は、取付けマスと下水本管とを接続する取付け管の入り口に鍔により係止する構造であるため、多量の排水が取付け管を逆流した場合には、逆止弁が取付け管の入り口から外れる恐れがある。また特許文献２に開示されている逆流防止弁は、連結部によりマス内の所定の位置に固定されているが、連結部が複雑な構造を有しており、更に既設のマスに取り付ける際に施工に手間がかかるためコスト高になるという問題を有する。
【０００５】
本発明の目的は、簡易な構造を有し低コストでマスに設置することができる逆流防止弁を提供することである。
【課題を解決するための手段】
【０００６】
本発明の逆流防止弁は、マス内に設置する逆流防止弁であって、前記マスに排水を流入させる流入管接続口に挿入する上流側環状部と、前記マスから前記排水を排出させる排出管接続口に挿入する下流側環状部と、前記上流側環状部と前記下流側環状部を接続するインバート部と、前記上流側環状部の流出側の端部に設けられ前記上流側環状部の流出側に形成される開口を開閉自在とする上流側弁体または前記下流側環状部の流出側の端部に設けられ前記下流側環状部の流出側に形成される開口を開閉自在とする下流側弁体と、を有し、前記下流側環状部の外周面と前記排出管接続口の内周面とが係止することにより保持されることを特徴とする。
【０００７】
また本発明の逆流防止弁は、前記上流側弁体は前記上流側環状部の流出側に形成される開口を塞いだ時に、前記上流側環状部の中心と前記下流側環状部の中心とを結ぶ線と成す角度θが３０°〜６０°となるように設置され、前記下流側弁体は前記下流側環状部の流出側に形成される開口を塞いだ時に、前記上流側環状部の中心と前記下流側環状部の中心とを結ぶ線と成す角度θが３０°〜６０°となるように設置されることを特徴とする。
【０００８】
また本発明の逆流防止弁は、前記上流側弁体及び前記下流側弁体の流出側の面に凹部を備えることを特徴とする。
【０００９】
また本発明の逆流防止弁は、前記上流側弁体が前記流出側の面に第１把持部を備えること特徴とする。
【００１０】
また本発明の逆流防止弁は、前記上流側環状部及び前記下流側環状部の上部に第２把持部を備えること特徴とする。
【００１１】
また本発明の逆流防止弁は、前記上流側環状部及び前記下流側環状部の少なくとも一方の底面にスリットが形成されていること特徴とする。
【００１２】
また本発明の逆流防止弁は、前記インバート部が前記逆流防止弁を前記上流側環状部側と前記下流側環状部側とに分割する分割部を有することを特徴とする。
【００１３】
また本発明の逆流防止弁は、前記上流側環状部の外周面には止水部が形成されていることを特徴とする。
【発明の効果】
【００１４】
本発明によれば、簡易な構造を有し低コストでマスに設置することができる逆流防止弁を提供することができる。
【図面の簡単な説明】
【００１５】
【図１】本発明の実施の形態に係る逆流防止弁の斜視図である。
【図２】本発明の実施の形態に係る逆流防止弁の側面図である。
【図３】本発明の実施の形態に係る逆流防止弁をマスに設置する工程を示す図である。
【図４】本発明の実施の形態に係る逆流防止弁をマスに設置する工程を示す図である。
【図５】本発明の他の実施の形態に係る逆流防止弁の側面図である。
【図６】本発明の他の実施の形態に係る逆流防止弁の底面図である。
【図７】本発明の他の実施の形態に係る逆流防止弁の側面図である。
【図８】本発明の他の実施の形態に係る弁体の斜視図である。
【発明を実施するための形態】
【００１６】
以下、図面を参照して、本発明の実施の形態に係る逆流防止弁について説明する。図１は実施の形態に係る逆流防止弁の斜視図であり、図２は実施の形態に係る逆流防止弁の側面図である。図１及び図２に示す逆流防止弁２は、マス２０（図３、図４参照）内に設置され、マス２０から流入管接続口２２（図３、図４参照）を介して宅内に排水が逆流するのを防止するためのものである。
【００１７】
マス２０は、地中に埋設して設置されるもので、少なくとも、地上開口部（図示せず）と、地上開口部とマス２０の上部開口部とを接続する縦管（図示せず）と、流入管接続口２２と、流出管接続口２４と、流入管接続口２２と流出管接続口２４とを接続するインバートと、を備えている。また、流入管接続口２２には上流の宅内からの排水を搬送する流入管（図示せず）が接続され、流出管接続口２４には下流にある下水本管へ排水を搬送する流出管（図示せず）が接続される。
【００１８】
逆流防止弁２は、マス２０に排水を流入させる流入管接続口２２に挿入される上流側環状部４と、マス２０から排水を排出させる排出管接続口２４に挿入される下流側環状部６と、上流側環状部４と下流側環状部６を接続するインバート部８を備えており、例えば塩化ビニルなどの樹脂により形成されている。
【００１９】
上流側環状部４は、上流側環状部４の外径が流入管接続口２２の内径よりも僅かに小さく形成されており流入管接続口２２に挿入され、上流側環状部４の外径と流入管接続口２２の内径とが一致する箇所で互いに係止し、止水される。上流側環状部４の外壁には周状に止水部４ａが形成されており、止水部４ａにより上流側環状部４の外周面と流入管接続口２２の内周面との間が止水されていても良い。ここで止水部４ａには、例えばブチルテープや平板ゴムなどが用いられ、平ゴムにはスチレンゴム、エチレンプロピレンゴム、クロロプレンゴムなどが用いられる。
【００２０】
上流側環状部４のインバート部８側である流出側には、端面が斜め上方向に向く傾斜端面４ｂが形成されている。上流側環状部４のインバート部８側の上部には、ヒンジ１０が設けられこのヒンジ１０に上流側弁体１２が取り付けられている。上流側弁体１２は、インバート部８の両側部の上面８ａに当接する段部１２ａを両側部に備える円板形状を有し、上流側環状部４のインバート部８側の傾斜端面４ｂにより形成される開口を開閉自在に塞ぐ。また上流側弁体１２は、流出側の面に凹部１２ｂを備えている。
【００２１】
ここで上流側弁体１２は、上流側環状部４の流出側に形成された開口を塞いだ時に、上流側環状部４の中心と下流側環状部６の中心とを結ぶ線と成す角度θが３０°〜６０°、好ましくは４０°〜５０°、更に好ましくは４５°となるように設置されている。上流側弁体１２は、上流側環状部４の内側から押されると外側に開き、上流側環状部４の外側から押されると傾斜端面４ｂにより形成される開口を塞ぐ。なお、上流側環状部４の中心（下流側環状部６の中心）とは、上流側環状部４（下流側環状部６）の断面の中心を指す。
【００２２】
この場合に上流側弁体１２が上述の角度θとなるように設置されているため、上流側弁体１２の流入側の排水が上流側弁体１２の流入側の面と接触する面積が大きくなり、排水量が少ない場合においても上流側弁体１２が容易に開く。また上流側弁体１２は、流出側の面に凹部１２ｂを備えているため凹部１２ｂに逆流した排水が溜まることで上流側弁体１２に荷重がかかり上流側弁体１２の浮き上がりを防止することができる。
【００２３】
また上流側環状部４は、上部に上流側環状部４をマス２０内に設置等する際に用いる把持部１１を備えている。
【００２４】
下流側環状部６の外径は、インバート部８側の外径が排出管接続口２４の内径よりも僅かに大きく形成されており、かつ下流側端部に向かって外径が小さくなるように形成されている。従って下流側環状部６の流出側端部が排出管接続口２４に挿入された場合には、排出管接続口２４の内周面と下流側環状部６の外周面の径が一致する箇所で互いに係止し、保持される。即ち下流側環状部６の外径が排出管接続口２４の内径と略同一となる位置の外周面が保持部として機能し、この保持力がインバート部８を通して上流側環状部４に伝達されることで、流入管接続口２２に挿入された上流側環状部４が宅内から流入してくる排水によって外れるのを防ぐことができる。下流側環状部６の外径が排出管接続口２４の内径と略同一となる位置には周状に止水部６ａが形成されており、止水部６ａにより下流側環状部６の外周面と排出管接続口２４の内周面との間が止水される。
【００２５】
また下流側環状部６は、上部に下流側環状部６をマス２０内に設置等する際に用いる把持部７を備えている。
【００２６】
インバート部８は、上流側環状部４と下流側環状部６の間に位置しており、上部が開いた断面半円状の凹部を有している。インバート部８の上流側環状部４側の端部は、傾斜端面４ｂにより形成される開口の下部に接続されている。またインバート部８の下流側環状部６側の端部は、下流側環状部６により形成される開口の下部に接続されている。更にインバート部８は、逆流防止弁２を上流側環状部４側と、下流側環状部６側に分割する分割部８ｂを有している。分割部８ｂを有していることで、マス２０がすでに地中に埋設された既設のマスであっても、マス２０の地上開口部から逆流防止弁２をマス２０内に設置することができる。
【００２７】
この実施の形態に係る逆流防止弁２をマス２０内に設置する場合には、図３に示すように、まずマス２０内に逆流防止弁２の下流側環状部６側の部分を入れ、下流側環状部６の下流側端部を排出管接続口２４に挿入し、下流側環状部６の外周面の保持部により下流側環状部６を排出管接続口２４の端部に固定する。ここで下流側環状部６側の部分を地中１ｍ程度の深さにあり人の手の届かないマス２０内に設置する際には、把持部７を施工用の取り付け治具で掴んで設置する。これにより下流側環状部６の外周面の止水部６ａにより下流側環状部６の外周面と排出管接続口２４の内周面との間が止水される。
【００２８】
次に図４に示すように、マス２０内に逆流防止弁２の上流側環状部４側の部分を入れ、上流側環状部４の上流側端部を流入管接続口２２に挿入する。ここで上流側環状部４側の部分を地中１ｍ程度の深さにあり人の手の届かないマス２０内に設置する際には、把持部１１を施工用の取り付け治具で掴んで設置する。これにより上流側環状部４の外周面の止水部４ａにより上流側環状部４の外周面と流入管接続口２２の内周面との間が止水される。
【００２９】
そして逆流防止弁２の上流側環状部４側の部分を上流側環状部４の開口の中心を通る軸周りに回転させることにより、逆流防止弁２の下流側環状部６側の部分と上流側環状部４側の部分を分割している分割部８ｂを嵌合させる。これによりマス２０内における逆流防止弁２の設置が完了する。
【００３０】
なおマス２０内の底部は、流入管接続口２２側から排出管接続口２４側に向かって低くなるように形成されているため、逆流防止弁２もマス２０内において上流側環状部４が下流側環状部６よりも高くなるように傾斜して設置される。
【００３１】
この実施の形態に係る逆流防止弁２によれば、多量の雨水がマス２０に流入した場合においても宅内への排水の逆流を防止することができる。またこの実施の形態に係る逆流防止弁２は、簡易な構造を有しており、また既設のマス２０に取り付ける際に施工に手間がかからないため低コストで既設のマス２０に設置することができる。
【００３２】
図５は本発明の他の実施の形態に係る逆流防止弁４０の側面図であり、図６は逆流防止弁４０の底面図である。なお逆流防止弁４０の説明においては、逆流防止弁２の構成と同一の構成には同一の符号を用い、逆流防止弁２と異なる部分についての説明を行う。
【００３３】
逆流防止弁４０は、逆流防止弁２の上流側環状部４の流入側の底部にスリット５を備えており、その他の部分においては逆流防止弁２と同一の構造を有している。スリット５は、上流側環状部４の底部の上流側弁体１２が接触する位置よりも上流側の位置に形成されている。逆流防止弁４０は、上流側環状部４の流入側の底部にスリット５を備えることにより、上流側環状部４が弾性変形し易くなり、マス２０内において上流側環状部４を流入管接続口２２に挿入し易くすることができる。また上流側環状部４の底部と流入管接続口２２の底部との段差を小さくすることができ排水中のごみが上流側環状部４の流入側に引っかかるのを防止することができる。なお、逆流防止弁４０の下流側環状部６の流出側の底部にスリットを備えるようにしてもよい。下流側環状部６の流出側の底部にスリットを備えることにより、下流側環状部６が弾性変形し易くなり、マス２０内において下流側環状部６を排出管接続口２４に挿入し易くすることができる。逆流防止弁４０の下流側環状部６の流出側の底部にスリットを備える場合に、上流側環状部４の流入側の底部にスリット５を設けないようにしてもよい。
【００３４】
図７は本発明の他の実施の形態に係る逆流防止弁５０の側面図である。なお逆流防止弁５０の説明においては、逆流防止弁２の構成と同一の構成には同一の符号を用い、逆流防止弁２と異なる部分についての説明を行う。
【００３５】
逆流防止弁５０は、逆流防止弁２の上流側弁体１２に代え下流側弁体１３を備える。下流側環状部６の流出側には、端面が斜め上方向に向く傾斜端面が形成されている。下流側環状部６の流出側の上部には、ヒンジ１５が設けられこのヒンジ１５に下流側弁体１３が取り付けられている。下流側弁体１３は、下流側環状部６の流出側の傾斜端面により形成される開口を開閉自在に塞ぐ。
【００３６】
ここで下流側弁体１３は、下流側環状部６の流出側に形成された開口を塞いだ時に、上流側環状部４の中心と下流側環状部６の中心とを結ぶ線と成す角度θが３０°〜６０°、好ましくは４０°〜５０°、更に好ましくは４５°となるように設置されている。下流側弁体１３は、下流側環状部６の内側から押されると外側に開き、下流側環状部６の外側から押されると傾斜端面により形成される開口を塞ぐ。この場合に下流側弁体１３が上述の角度θとなるように設置されているため、下流側弁体１３の流入側の排水が下流側弁体１３の流入側の面と接触する面積が大きくなり、排水量が少ない場合においても下流側弁体１３が容易に開く。また下流側弁体１３を備えることによりマス２０に複数の流入管接続口が接続されている場合においても、全ての流入管接続口への逆流を防止することができる。
【００３７】
なお下流側弁体１３は、流出側の面に凹部を備えるようにしてもよい。流出側の面に凹部を備える場合には、凹部に逆流した排水が溜まることで下流側弁体１３に荷重がかかり下流側弁体１３の浮き上がりを防止することができる。
【００３８】
図８は他の実施の形態に係る上流側弁体１２の斜視図である。この上流側弁体１２は、凹部１２ｂに把持部１２ｃを備えている。把持部１２ｃを備えることによりマス２０内から上流側弁体１２を開ける際に、把持部１２ｃを掴んで開けることができる。
【符号の説明】
【００３９】
２，４０，５０…逆流防止弁、４…上流側環状部、４ａ…止水部、４ｂ…傾斜端面、５…スリット、６…下流側環状部、６ａ…止水部、７，１１…把持部、８…インバート部、８ｂ…分割部、１０…ヒンジ、１２…上流側弁体、１２ｂ…凹部、１２ｃ…把持部、１３…下流側弁体、２０…マス
【図１】
0006649829.tif 000002
【図２】
0006649829.tif 000003
【図３】
0006649829.tif 000004
【図４】
0006649829.tif 000005
【図５】
0006649829.tif 000006
【図６】
0006649829.tif 000007
【図７】
0006649829.tif 000008
【図８】
0006649829.tif 000009